(57)【要約】【課題】データの再生時に、同期コードを精度良く検出する。【解決手段】セクタ先頭フレーム検出部１６は、各セクタについてセクタ先頭フレームの同期コードの記録位置を特定し、セクタ先頭記録位置情報Ｓ３０１を出力する。セクタ先頭位置情報保持部１７は、各セクタに対応するセクタ先頭記録位置情報Ｓ３０１を、セクタを特定するためのアドレス情報と関連付けて保持する。制御信号生成部１３は、再生対象のセクタを次に再生する場合、再生対象のセクタのアドレス情報と対応付けて保持されているセクタ先頭記録位置情報Ｓ３０２に基づいて、データ先頭予測信号Ｓ１０４を生成する。セクタ同期部１４は、データ先頭予測信号Ｓ１０４がＨレベルの間、セクタ先頭フレームの同期コード検出を行う。【選択図】図１
2008269682.tif 000002
【特許請求の範囲】
【請求項１】
光ディスクに記録され、プリピット領域とデータの追記または書き換えを行える情報記録領域とに連続して記録されたデータ列をデータ再生装置によって再生するデータ再生方法であって、
同期コード位置情報取得部が、上記データ列が再生された場合に、上記情報記録領域に記録されたデータ中の同期コードの記録位置を示す同期コード位置情報を取得する同期コード位置情報取得ステップと、
同期コード位置情報保持部が、上記同期コード位置情報取得部によって取得された同期コード位置情報を保持する同期コード位置情報保持ステップとを備えていることを特徴とするデータ再生方法。
【請求項２】
請求項１のデータ再生方法において、
上記データ列の再生を再度行う場合に、同期制御部が、上記同期コード位置情報保持部によって保持された同期コード位置情報に基づいて、上記情報記録領域に記録されたデータにおける一部の範囲を上記同期コードを検出するための予測範囲として特定する同期制御ステップと、
同期部が、上記予測範囲から上記同期コードを検出する同期ステップとを備えていることを特徴とするデータ再生方法。
【請求項３】
請求項１のデータ再生方法において、
上記同期コード位置情報取得ステップにおいて、上記同期コード位置情報取得部は、上記プリピット領域に記録されており、情報の内容から記録位置を一意に特定できるアドレス情報が正常に再生された場合に、上記アドレス情報の記録位置に基づいて、同期コード位置情報を取得することを特徴とするデータ再生方法。
【請求項４】
請求項１のデータ再生方法において、
上記同期コード位置情報取得ステップにおいて、上記同期コード位置情報取得部は、上記プリピット領域における複数箇所に記録されたアドレス情報再生用同期コードの少なくとも１箇所の位置に基づいて、同期コード位置情報を取得することを特徴とするデータ再生方法。
【請求項５】
請求項１のデータ再生方法において、
同期制御部が、上記情報記録領域に記録されたデータにおける一部の範囲を上記同期コードを検出するための予測範囲として特定する同期制御ステップをさらに備え、
上記同期コードは、データ領域直前に付されるプリシンク、および上記プリシンクに続くシンクのうちの少なくとも一方であり、
上記データ再生装置は、上記データ領域を構成する複数のフレームにそれぞれ含まれるシンクを検出するフレーム同期部を備え、
上記同期コード位置情報取得ステップにおいて、上記同期コード位置情報取得部は、上記予測範囲におけるデータが再生された後、最初に上記フレーム同期部によって検出されたシンクの位置に基づいて、同期コード位置情報を取得することを特徴とするデータ再生方法。
【請求項６】
請求項１のデータ再生方法において、
同期制御部が、上記情報記録領域に記録されたデータにおける一部の範囲を上記同期コードを検出するための予測範囲として特定する同期制御ステップをさらに備え、
上記同期コードは、データ領域直前に付されるプリシンク、および上記プリシンクに続くシンクのうちの少なくとも一方であり、
上記データ再生装置は、上記データ領域を構成する複数のフレームにそれぞれ含まれるシンクを検出するフレーム同期部を備え、
上記同期コード位置情報取得ステップにおいて、上記同期コード位置情報取得部は、上記予測範囲におけるデータが再生された後、上記フレーム同期部によってシンクがフレーム長の間隔で連続して検出された場合に、連続して検出されたシンクのうちの少なくとも１つの位置に基づいて、同期コード位置情報を取得することを特徴とするデータ再生方法。
【請求項７】
請求項６のデータ再生方法において、
上記同期コード位置情報取得ステップにおいて、上記同期コード位置情報取得部は、上記予測範囲におけるデータが再生された後、上記フレーム同期部によってシンクがフレーム長の間隔で連続して検出された場合に、連続して検出されたシンクのうちの少なくとも１つの位置、および連続して検出されたシンクの種類に基づいて、同期コード位置情報を取得することを特徴とするデータ再生方法。
【請求項８】
請求項１のデータ再生方法において、
上記光ディスクにおいて、上記同期コードは、セクタ毎に記録され、
上記同期コード位置情報保持ステップにおいて、上記同期コード位置情報保持部は、保持する同期コード位置情報と関連付けて、対応する同期コードを含むセクタの上記光ディスクにおける記録位置を示すアドレス情報を保持することを特徴とするデータ再生方法。
【請求項９】
請求項１のデータ再生方法において、
上記光ディスクにおいて、上記同期コードは、セクタ毎に記録され、
上記同期コード位置情報保持ステップにおいて、上記同期コード位置情報保持部は、保持する同期コード位置情報と関連付けて、対応する同期コードを含むセクタが再生開始から何番目に再生されるのかを示す情報を保持することを特徴とするデータ再生装置。
【請求項１０】
請求項２のデータ再生方法において、
上記同期制御ステップにおいて、上記データ列の再生を再度行う場合は、前回データ列が正しく再生されなかったことによりデータ列を読み直す場合であることを特徴とするデータ再生方法。
【請求項１１】
光ディスクに記録され、プリピット領域とデータの追記または書き換えを行える情報記録領域とに連続して記録されたデータ列を再生するデータ再生装置であって、
上記データ列が再生された場合に、上記情報記録領域に記録されたデータ中の同期コードの記録位置を示す同期コード位置情報を取得する同期コード位置情報取得部と、
上記同期コード位置情報取得部によって取得された同期コード位置情報を保持する同期コード位置情報保持部とを備えていることを特徴とするデータ再生装置。
【請求項１２】
請求項１１のデータ再生装置において、
上記データ列の再生を再度行う場合に、上記同期コード位置情報保持部によって保持された同期コード位置情報に基づいて、上記情報記録領域に記録されたデータにおける一部の範囲を上記同期コードを検出するための予測範囲として特定する同期制御部と、
上記予測範囲から、上記同期コードを検出する同期部とを備えていることを特徴とするデータ再生装置。
【発明の詳細な説明】
【技術分野】
【０００１】
本発明は、光ディスクを再生する際に行われる同期コードの検出の精度を高める技術に関するものである。
【背景技術】
【０００２】
従来、製造時にあらかじめ形成されたヘッダ領域とデータの書き換えの可能な情報記録領域とを有する光ディスクが知られている。このような光ディスクにおいては、情報記録領域にデータが記録される。そして、記録が繰り返し行われる場合でも長い寿命を得るために、記録の度に記録開始位置を動かす、いわゆるスタートポジションシフトという技術が採用されている（例えば、特許文献１参照。）。
【特許文献１】特開平１０−１１７６３号公報（段落００５４）
【発明の開示】
【発明が解決しようとする課題】
【０００３】
セクタ毎にデータが完結して記録されている光ディスクを再生する場合、データ領域の先頭に記録された同期コードを精度良く検出する必要がある。データ領域先頭の同期コードを誤った場合、同期コードが検出されて正しくデータの同期がとれるまでのデータが欠落したり、データを誤って読み込んでしまうことにより誤り訂正を行っても訂正しきれず、正しいデータを読み出すことができなくなる。
【０００４】
本発明は、上記の点に鑑み、データの再生時に、同期コードを精度良く検出することを目的とする。
【課題を解決するための手段】
【０００５】
上記の課題を解決するため、請求項１の発明は、
光ディスクに記録され、プリピット領域とデータの追記または書き換えを行える情報記録領域とに連続して記録されたデータ列をデータ再生装置によって再生するデータ再生方法であって、
同期コード位置情報取得部が、上記データ列が再生された場合に、上記情報記録領域に記録されたデータ中の同期コードの記録位置を示す同期コード位置情報を取得する同期コード位置情報取得ステップと、
同期コード位置情報保持部が、上記同期コード位置情報取得部によって取得された同期コード位置情報を保持する同期コード位置情報保持ステップとを備えていることを特徴とする。
【０００６】
請求項１の発明により、情報記録領域に記録された同期コードの記録位置を示す同期コード位置情報が、同期コード位置情報保持部に保持される。したがって、データ再生装置は、再度再生を行う際に、同期コードを検出するための予測範囲の特定に、保持された同期コード位置情報を用いることができる。
【０００７】
請求項２の発明は、
請求項１のデータ再生方法において、
上記データ列の再生を再度行う場合に、同期制御部が、上記同期コード位置情報保持部によって保持された同期コード位置情報に基づいて、上記情報記録領域に記録されたデータにおける一部の範囲を上記同期コードを検出するための予測範囲として特定する同期制御ステップと、
同期部が、上記予測範囲から上記同期コードを検出する同期ステップとを備えていることを特徴とする。
【０００８】
請求項２の発明により、同期制御部は、情報記録領域に記録された同期コード位置情報に基づいて、情報記録領域に記録されたデータにおける一部の範囲を予測範囲として特定する。そして、同期部は、同期コード位置情報に基づいて特定されたこの予測範囲から、同期コードを検出する。
【０００９】
請求項３の発明は、
請求項１のデータ再生方法において、
上記同期コード位置情報取得ステップにおいて、上記同期コード位置情報取得部は、上記プリピット領域に記録されており、情報の内容から記録位置を一意に特定できるアドレス情報が正常に再生された場合に、上記アドレス情報の記録位置に基づいて、同期コード位置情報を取得することを特徴とする。
【００１０】
請求項３の発明により、同期コード位置情報取得部は、情報の内容から記録位置を一意に特定できるアドレス情報が再生された場合、再生されたアドレス情報自体から特定できる当該アドレス情報の記録位置に基づいて、同期コード位置情報を容易に取得できる。
【００１１】
請求項４の発明は、
請求項１のデータ再生方法において、
上記同期コード位置情報取得ステップにおいて、上記同期コード位置情報取得部は、上記プリピット領域における複数箇所に記録されたアドレス情報再生用同期コードの少なくとも１箇所の位置に基づいて、同期コード位置情報を取得することを特徴とする。
【００１２】
請求項４の発明により、同期コード位置情報取得部は、プリピット領域における複数箇所に記録されたアドレス情報再生用同期コードの少なくとも１箇所の位置に基づいて、同期コード位置情報を容易に取得できる。
【００１３】
請求項５の発明は、
請求項１のデータ再生方法において、
同期制御部が、上記情報記録領域に記録されたデータにおける一部の範囲を上記同期コードを検出するための予測範囲として特定する同期制御ステップをさらに備え、
上記同期コードは、データ領域直前に付されるプリシンク、および上記プリシンクに続くシンクのうちの少なくとも一方であり、
上記データ再生装置は、上記データ領域を構成する複数のフレームにそれぞれ含まれるシンクを検出するフレーム同期部を備え、
上記同期コード位置情報取得ステップにおいて、上記同期コード位置情報取得部は、上記予測範囲におけるデータが再生された後、最初に上記フレーム同期部によって検出されたシンクの位置に基づいて、同期コード位置情報を取得することを特徴とする。
【００１４】
請求項５の発明により、同期コード位置情報取得部は、予測範囲におけるデータが再生された後、最初にフレーム同期部によって検出されたシンクの位置に基づいて、同期コード位置情報を容易に取得できる。
【００１５】
請求項６の発明は、
請求項１のデータ再生方法において、
同期制御部が、上記情報記録領域に記録されたデータにおける一部の範囲を上記同期コードを検出するための予測範囲として特定する同期制御ステップをさらに備え、
上記同期コードは、データ領域直前に付されるプリシンク、および上記プリシンクに続くシンクのうちの少なくとも一方であり、
上記データ再生装置は、上記データ領域を構成する複数のフレームにそれぞれ含まれるシンクを検出するフレーム同期部を備え、
上記同期コード位置情報取得ステップにおいて、上記同期コード位置情報取得部は、上記予測範囲におけるデータが再生された後、上記フレーム同期部によってシンクがフレーム長の間隔で連続して検出された場合に、連続して検出されたシンクのうちの少なくとも１つの位置に基づいて、同期コード位置情報を取得することを特徴とする。
【００１６】
請求項６の発明により、同期コード位置情報取得部は、予測範囲におけるデータが再生された後、フレーム同期部によってシンクがフレーム長の間隔で連続して検出された場合に、連続して検出されたシンクのうちの少なくとも１つの位置に基づいて、同期コード位置情報を容易に取得できる。
【００１７】
請求項７の発明は、
請求項６のデータ再生方法において、
上記同期コード位置情報取得ステップにおいて、上記同期コード位置情報取得部は、上記予測範囲におけるデータが再生された後、上記フレーム同期部によってシンクがフレーム長の間隔で連続して検出された場合に、連続して検出されたシンクのうちの少なくとも１つの位置、および連続して検出されたシンクの種類に基づいて、同期コード位置情報を取得することを特徴とする。
【００１８】
請求項７の発明により、同期コード位置情報取得部は、予測範囲におけるデータが再生された後、フレーム同期部によってシンクがフレーム長の間隔で連続して検出された場合に、連続して検出されたシンクのうちの少なくとも１つの位置だけでなく、連続して検出されたシンクの種類にも基づいて、同期コード位置情報をより精度良く取得できる。
【００１９】
請求項８の発明は、
請求項１のデータ再生方法において、
上記光ディスクにおいて、上記同期コードは、セクタ毎に記録され、
上記同期コード位置情報保持ステップにおいて、上記同期コード位置情報保持部は、保持する同期コード位置情報と関連付けて、対応する同期コードを含むセクタの上記光ディスクにおける記録位置を示すアドレス情報を保持することを特徴とする。
【００２０】
請求項８の発明により、同期コード位置情報保持部は、同期コード位置情報と関連付けてアドレス情報を保持するので、複数のセクタにそれぞれ対応する複数の同期コード位置情報を保持できる。そして、同期制御部は、セクタ毎に予測範囲を特定できる。
【００２１】
請求項９の発明は、
請求項１のデータ再生方法において、
上記光ディスクにおいて、上記同期コードは、セクタ毎に記録され、
上記同期コード位置情報保持ステップにおいて、上記同期コード位置情報保持部は、保持する同期コード位置情報と関連付けて、対応する同期コードを含むセクタが再生開始から何番目に再生されるのかを示す情報を保持することを特徴とする。
【００２２】
請求項９の発明により、同期コード位置情報保持部は、同期コード位置情報と関連付けて、対応する同期コードを含むセクタが再生開始から何番目に再生されるのかを示す情報を保持するので、複数のセクタにそれぞれ対応する複数の同期コード位置情報を保持できる。そして、同期制御部は、セクタが順に再生される場合、セクタ毎に予測範囲を特定できる。
【００２３】
請求項１０の発明は、
請求項２のデータ再生方法において、
上記同期制御ステップにおいて、上記データ列の再生を再度行う場合は、前回データ列が正しく再生されなかったことによりデータ列を読み直す場合であることを特徴とする。
【００２４】
請求項１０の発明により、同期制御部は、前回データ列が正しく再生されなかったことによりデータ列を読み直す場合に、同期コード位置情報保持部に保持された同期コード位置情報に基づいて予測範囲を精度良く特定できる。
【発明の効果】
【００２５】
本発明によれば、同期コード位置情報保持部に保持された同期コード位置情報を、再度再生を行う際に、同期コードを検出するための予測範囲の特定に用いることができる。したがって、同期コードを精度良く検出することが容易になる。
【発明を実施するための最良の形態】
【００２６】
以下、本発明の実施形態について、図面を参照して説明する。なお、以下の各実施形態において、他の実施形態と同様の機能を有する構成要素については同一の符号を付して説明を省略する。
【００２７】
《実施形態１》
実施形態１に係るデータ再生装置は、図１に示すように、データ取得部１１、アドレス再生部１２、制御信号生成部（同期制御部）１３、セクタ同期部（同期部）１４、フレーム同期部１５、セクタ先頭フレーム検出部（同期コード位置情報取得部）１６、およびセクタ先頭位置情報保持部（同期コード位置情報保持部）１７を備えている。
【００２８】
本実施形態のデータ再生装置は、図２に示すようなセクタ構造を有する光ディスクを再生する。同図に示すように、セクタは、プリピット領域と情報記録領域とから形成されている。プリピット領域には、ディスク製造工程においてあらかじめＰＩＤ（Ｐｈｙｓｉｃａｌ  ＩＤ）やアドレスマーク（Ａｄｄｒｅｓｓ  Ｍａｒｋ：ＡＭ）等が記録されている。情報記録領域では、データの追記または書き換えを行うことができる。情報記録領域中のデータ領域に記録されるデータは、再生専用型ディスクとの互換性を持たせたフレーム構造になっている。具体的には、データ領域は、複数のフレームから構成され、シンクＳＹ０〜ＳＹ７（ＳＹＮＣ０〜ＳＹＮＣ７）が、各フレームの先頭に配置されている。このようなセクタ構造を有する光ディスクとして、例えばＤＶＤ（Ｄｉｇｉｔａｌ  Ｖｅｒｓａｔｉｌｅ  Ｄｉｓｃ）が知られている。
【００２９】
このデータ再生装置は、１つのＥＣＣ（Ｅｒｒｏｒ  Ｃｏｒｒｅｃｔｉｏｎ  Ｃｏｄｅ）ブロックを構成する１６セクタの再生を行う毎に、ＥＣＣを用いたエラー訂正とエラーチェックを行い、正しい再生が行われなかったと判定した場合には、通常、再生できなかった同じ１６セクタを再度再生するようになっている。
【００３０】
データ取得部１１は、入力データＳ００１を順次取得していき、取得データＳ１０１として出力する。取得データＳ１０１は、プリピット領域に記録されたデータと、情報記録領域に記録されたデータとが連続したデータ列である。
【００３１】
図３は、本実施形態のデータ再生装置によってヘッダ領域に含まれるアドレスが再生され、ＳＹ０が検出されるまでのアドレス再生部１２、制御信号生成部１３、セクタ同期部１４、フレーム同期部１５およびセクタ先頭フレーム検出部１６の動作を説明するタイミングチャートである。
【００３２】
アドレス再生部１２は、ヘッダ領域に含まれるアドレスを再生する。具体的には、取得データＳ１０１から同期コードであるＡＭを検出することによって、ＡＭに続くＰＩＤを読み出す。そして、ＡＭ検出信号Ｓ１０３、アドレス正常取得情報Ｓ１０５、およびアドレス再生タイミング信号Ｓ１０６を出力する。ＡＭ検出信号Ｓ１０３は、ＡＭが検出されるのに応じて立ち上がるパルス信号である。アドレス正常取得情報Ｓ１０５は、ＰＩＤを示すアドレス情報とＩＥＤ（ＩＤ  Ｅｒｒｏｒ  Ｄｅｔｅｃｔｉｏｎ  ｃｏｄｅ）およびＰＡ（Ｐｏｓｔａｍｂｌｅ）を用いたエラーチェック（エラー検出処理）の結果を示す値ＩＥＤＯＫとを含む。アドレス情報は、対応するセクタの光ディスクにおける記録位置に相当する。アドレス再生タイミング信号Ｓ１０６は、セクタ同期を行う際の基準として用いる信号であり、ＡＭが検出された場合に、そのＡＭに対応する先述のエラーチェックが終わるタイミングで立ち上がるパルス信号である。
【００３３】
制御信号生成部１３は、データ先頭予測信号Ｓ１０４を生成する。データ先頭予測信号Ｓ１０４は、ウィンドウ信号としての役割を有し、この信号がＨ（Ｈｉｇｈ）レベルの間にはセクタ同期部１４によってＳＹ０の検出が行われるが、この信号がＬ（Ｌｏｗ）レベルの間にはセクタ同期部１４によってＳＹ０の検出は行われない。つまり、制御信号生成部１３は、セクタに含まれる情報記録領域における一部の範囲を、ＳＹ０を検出するための予測範囲として特定する。なお、制御信号生成部１３は、アドレス正常取得情報Ｓ１０５とアドレス再生タイミング信号Ｓ１０６とにより、データ再生時にＨレベルになるデータ再生用の基準信号を生成する。制御信号生成部１３の詳細な動作については後述する。
【００３４】
セクタ同期部１４は、データ取得部１１によって得られた取得データＳ１０１を用いて、制御信号生成部１３によって得られたデータ先頭予測信号Ｓ１０４がＨレベルの期間、データを再生するために、セクタ先頭の同期コードであるＳＹ０を検出する。つまり、セクタ同期部１４は、制御信号生成部１３によって特定された予測範囲から、ＳＹ０を検出する。そして、セクタ先頭シンク検出信号Ｓ１０７とセクタ同期信号Ｓ２０３とを生成する。セクタ先頭シンク検出信号Ｓ１０７は、データ先頭予測信号Ｓ１０４がＨレベルの間にシンクＳＹ０が検出された場合にその検出に応じて立ち上がるパルス信号である。セクタ同期信号Ｓ２０３は、図４に示すように、データ先頭予測信号Ｓ１０４がＨレベルの間にシンクＳＹ０が検出された場合にはその検出に応じて立ち上がり、検出されなかった場合にはデータ先頭予測信号Ｓ１０４がＨレベルからＬレベルに立ち下がるのに応じて立ち上がるパルス信号である。
【００３５】
図４は、フレーム同期部１５がセクタの先頭からフレーム同期を行う動作を示すタイミングチャートである。
【００３６】
フレーム同期部１５は、データ取得部１１によって得られた取得データＳ１０１から、シンクＳＹ０〜ＳＹ７を検出する。このシンクの検出は、セクタ同期部１４によって得られたセクタ同期信号Ｓ２０３の立ち上がりのタイミング以降に行われる。そして、フレーム同期部１５は、シンク検出信号Ｓ１０２、シンク情報Ｓ２０１、およびフレーム同期信号Ｓ２０２を得る。シンク検出信号Ｓ１０２は、実際にシンクが検出されるのに応じて立ち上がるパルス信号である。シンク情報Ｓ２０１は、検出されたシンクがＳＹ０〜ＳＹ７のいずれであるかを示す情報である。フレーム同期信号Ｓ２０２は、セクタ同期信号Ｓ２０３の立ち上がりに応じて立ち上がり、以降、１フレーム分のデータ（９３ｂｙｔｅ）の再生期間毎に立ち上がるパルス信号である。フレーム同期信号Ｓ２０２、およびセクタ同期信号Ｓ２０３は、データ先頭予測信号Ｓ１０４がＨレベルの間にシンクＳＹ０が検出されなかった場合、データ先頭予測信号Ｓ１０４の立ち下がりタイミングを基準とする信号となる。なお、フレーム同期信号Ｓ２０２は、セクタ同期部１４によってセクタ先頭のシンクであるＳＹ０が検出されなかったために、シンク検出信号Ｓ１０２と一致しないものとなった場合、そのセクタの読み出しの途中で一致するように補正される。
【００３７】
セクタ先頭フレーム検出部１６は、ＡＭ検出信号Ｓ１０３、データ先頭予測信号Ｓ１０４、アドレス正常取得情報Ｓ１０５、アドレス再生タイミング信号Ｓ１０６、セクタ先頭シンク検出信号Ｓ１０７、セクタ同期信号Ｓ２０３、シンク検出信号Ｓ１０２、フレーム同期信号Ｓ２０２に基づいて、セクタ先頭記録位置情報Ｓ３０１を取得する。より詳しくは、セクタ先頭フレーム検出部１６は、立ち下がり基準カウンタおよびリファレンスカウンタを有し、これらのカウンタのカウンタ値を用いて、各セクタについて情報記録領域に記録されたＳＹ０の記録位置を推測する。そして、推測した記録位置を示すセクタ先頭記録位置情報Ｓ３０１（同期コード位置情報）を出力する。セクタ先頭フレーム検出部１６の詳細な動作については、後述する。
【００３８】
なお、本実施形態のデータ再生装置は、入力データＳ００１に同期した周期Ｔのクロック信号に同期して光ディスクのデータを再生するものである。そして、立ち下がり基準カウンタ、およびリファレンスカウンタは、このクロック信号の立ち上がり毎にそのカウント値がインクリメントされるものである。したがって、これらのカウンタのカウント値は、再生対象となっているデータの記録位置を、カウント開始時の位置を基準として示すものとなる。
【００３９】
セクタ先頭位置情報保持部１７は、セクタ先頭フレーム検出部１６から出力された各セクタに対応するセクタ先頭記録位置情報Ｓ３０１を、それぞれ、再生が開始されてから何番目に再生されるセクタであるか（再生される順番）を示す再生番号、およびアドレス正常取得情報Ｓ１０５に含まれる上述のアドレス情報と関連付けて保持する。セクタ先頭位置情報保持部１７は、この再生番号およびアドレス情報を、１つのＥＣＣブロックを構成する１６セクタ単位で保持（記憶）する。そして、光ディスクの再生中は、保持しているセクタ先頭記録位置情報Ｓ３０１のうち、再生対象のセクタの再生番号およびアドレス情報と関連付けて保持しているものを、セクタ先頭記録位置情報Ｓ３０２として出力する。なお、セクタ先頭位置情報保持部１７は、出力するセクタ先頭記録位置情報Ｓ３０２を、データ先頭予測信号Ｓ１０４の立ち下がりタイミングで更新する。
【００４０】
（セクタ先頭フレーム検出部１６の詳細な動作）
ここで、セクタ先頭フレーム検出部１６に設けられたリファレンスカウンタは、セクタの先頭からカウントを開始するものであり、そのカウント値は、セクタにおける読み出し中のデータの位置を示すものとして用いられる。リファレンスカウンタのカウント値は、ＡＭまたはＰＩＤが取得できたことによって、読み出し中のデータの位置を正しく示すものに補正される。セクタ先頭フレーム検出部１６は、リファレンスカウンタのカウント値を示す同期制御信号Ｓ１０８を出力する。
【００４１】
より詳しくは、ＰＩＤが正しく読まれた場合、セクタ先頭フレーム検出部１６は、ＰＩＤのコードに基づいて、読まれたＰＩＤのセクタにおける記録位置を特定し、特定した記録位置に基づいて、リファレンスカウンタのカウンタ値を、読み出し中のデータの位置を正しく示す値に補正する。ＰＩＤ（アドレス情報）には、ＰＩＤがヘッダ領域に含まれる４つのＰＩＤのうちの何番目のＰＩＤであるかを示す情報が含まれており、同一のＰＩＤがプリピット領域の複数箇所に記録されていることはない。したがって、ＰＩＤのコード（アドレス情報の内容）に基づいて、そのＰＩＤの記録位置を一意に特定できる。
【００４２】
一方、ＰＩＤが正しく読まれなかった場合でも、ＡＭ（アドレス情報再生用同期コード）が検出された場合、セクタ先頭フレーム検出部１６は、検出されたＡＭの記録位置を特定し、特定した記録位置に基づいて、リファレンスカウンタのカウンタ値を、読み出し中のデータの位置を正しく示す値に補正する。ＡＭは、１つのセクタにおけるあらかじめ決められた４箇所にそれぞれ記録されている。したがって、４つのＡＭがすべて検出された場合、セクタ先頭フレーム検出部１６は、検出された各ＡＭの記録位置を一意に特定できる。また、４つのＡＭのうち一部のＡＭが検出されなかった場合、精度が落ちる可能性はあるが、検出されたＡＭの間隔を参照して、検出されたＡＭの記録位置を特定する。
【００４３】
なお、一部のＡＭが検出されなかった場合、その時点でのリファレンスカウンタのカウント値を示す同期制御信号Ｓ１０８をさらに参照して、検出されたＡＭの記録位置を特定するようにしてもよい。一度、前のセクタでＰＩＤが正しく取得された後であれば、リファレンスカウンタのクロック信号の周期が一定以上乱れなければ、ＡＭ同士の間隔は開いているので、リファレンスカウンタの値を使用して、何番目のＡＭが検出できたかを判断できる。また、前のセクタでＰＩＤが正しく読まれていれば、リファレンスカウンタのカウント値は、前のセクタのＰＩＤに基づくものとなっている。
【００４４】
次に、本実施形態におけるＳＹ０の記録位置の特定方法について説明する。ＳＹ０の記録位置の特定、すなわち、セクタ先頭記録位置情報Ｓ３０１の取得には、特定されたＰＩＤまたはＡＭの記録位置に基づいて補正されたリファレンスカウンタのカウント値を示す同期制御信号Ｓ１０８が用いられる。
【００４５】
まず、データ先頭予測信号Ｓ１０４がＨレベルの間にＳＹ０が検出されなかった場合について説明する。かかる場合、セクタ同期信号Ｓ２０３の立ち上がりと２番目のフレームのシンク検出に基づくシンク検出信号Ｓ１０２の立ち上がりとのタイミング差がフレーム長に対応しなくなったり、シンクが連続して周期的に取得されなくなったりする。この場合、その後周期的に取得できたシンク検出信号Ｓ１０２等を用いて、フレーム同期信号Ｓ２０２を補正できる。そして、この補正されたフレーム同期信号Ｓ２０２等を用いて、セクタ先頭位置、すなわちＳＹ０の記録位置を特定できる。
【００４６】
図５に示すように、セクタ先頭フレーム検出部１６に設けられた立ち下がり基準カウンタは、データ先頭予測信号Ｓ１０４の立ち下がりを基準にカウントをスタートする。この立ち下がり基準カウンタは、データ先頭予測信号Ｓ１０４の立ち下がりで０にリセットされ、ＦＬ−１までカウントすると、次は０に戻って繰り返しカウントを続ける。ここで、Ｔ（クロック信号の周期）×ＦＬ、すなわち、立ち下がり基準カウンタの値が０にリセットされてから再度０になるまでの期間は、１フレームのデータの再生にかかる期間に相当する。また、ここで、データ先頭予測信号Ｓ１０４は、１度立ち上がってから立ち下がるまでに、Ｔ×２Ｗの期間がかかるものとし、今回の再生時には、同期制御信号Ｓ１０８によって示される値がＣ−ＷとなるタイミングでＬレベルからＨレベルに立ち上がるものとする。
【００４７】
データ先頭予測信号Ｓ１０４がＨレベルとなっている期間にＳＹ０が検出されない原因としては、シンクコードがつぶれていたこと、およびデータ先頭予測信号Ｓ１０４の生成が誤っていたことの２つが考えられる。立ち下がり基準カウンタのカウント値を参照することによって、いずれの原因であるかを判別できる。
【００４８】
例えば、図５に示すように、この立ち下がり基準カウンタのカウント値が（ＦＬ−２Ｗ）以上（ＦＬ−１）以下の幅２Ｗの範囲内にある間にシンクが検出された場合、その時のカウント値が（ＦＬ−Ｐ）であったとすると、ＳＹ０は、同期制御信号Ｓ１０８によって示されるカウント値が値Ｃ＋Ｗ−Ｐとなるタイミングで検出されるはずであったことが推測できる。また、データ先頭予測信号Ｓ１０４で表される予測範囲は正しかったと判断できる。セクタ先頭フレーム検出部１６は、ＳＹ０が読み出されるタイミングにおけるリファレンスカウンタのカウント値を推測し、セクタ先頭記録位置情報Ｓ３０１として出力する。したがって、この場合、セクタ先頭フレーム検出部１６は、カウント値Ｃ＋Ｗ−Ｐを示すセクタ先頭記録位置情報Ｓ３０１を出力する。このように、セクタ先頭フレーム検出部１６は、データ先頭予測信号Ｓ１０４がＨレベルからＬレベルになった後（予測範囲におけるデータの再生後）、最初にフレーム同期部１５によって検出されたシンクの位置に基づいて、セクタ先頭記録位置情報Ｓ３０１を取得する。
【００４９】
また、立ち下がり基準カウンタのカウント値が（ＦＬ−２Ｗ）以上（ＦＬ−１）以下の幅２Ｗの範囲内にある間にシンクが検出されなかった場合、データ先頭予測信号Ｓ１０４で表される予測範囲は正しくなかったと判断できる。この場合、次にその範囲外でフレーム長の間隔で２回連続してシンクが検出されたときに、その１回目のシンクの検出タイミングとそのシンクに対応するフレーム同期信号Ｓ２０２の立ち上がりのタイミングとのずれ量を求める。そして、このずれ量に基づいて、フレーム同期信号Ｓ２０２を補正するとともに、ＳＹ０の記録位置を推測する。この場合、ＳＹ０が正常に検出されなかったので、フレーム同期信号Ｓ２０２は、データ先頭予測信号Ｓ１０４の立ち下がりを基準に生成され、補正されるまで、周期的に立ち上がりと立ち下がりを繰り返している。そして、この補正によって、フレーム同期が正しく行われる。
【００５０】
例えば、図６に示すように、データ先頭予測信号Ｓ１０４が立ち下がった後（予測範囲におけるデータの再生後）、ＳＹ０とＳＹ５がフレーム長の間隔で連続して検出された場合、ＳＹ０の検出タイミングとフレーム同期信号Ｓ２０２の１回目の立ち上がりタイミングとのずれ量Ｄが求められる。そして、このずれ量Ｄに基づいて、次のシンクＳＹ１に対応する３回目のフレーム同期信号Ｓ２０２の立ち上がりタイミングが補正される。また、フレーム同期信号Ｓ２０２が１回目に立ち上がるのは、データ先頭予測信号Ｓ１０４の立ち下がりから比較的短い期間の経過後である。したがって、同期制御信号Ｓ１０８によって示されるカウント値がおよそ値Ｃ＋Ｄ＋ＷとなるタイミングでＳＹ０が検出されることが推測できる。したがって、この場合、セクタ先頭フレーム検出部１６は、カウント値Ｃ＋Ｄ＋Ｗを示すセクタ先頭記録位置情報Ｓ３０１を出力する。再びこのセクタが再生される場合、同期制御信号Ｓ１０８によって示されるカウント値がこのカウント値からＷを引いたＣ＋Ｄとなるタイミングで立ち上がり、Ｔ×２Ｗの期間経過後に立ち下がるように、図６でパターン（１）に示されるようなデータ先頭予測信号Ｓ１０４を生成することによって、ＳＹ０を検出できる。
【００５１】
データ先頭予測信号Ｓ１０４がＨレベルの間にＳＹ０が検出された場合、セクタ先頭フレーム検出部１６は、ＳＹ０が検出された時のリファレンスカウンタのカウント値を示すセクタ先頭記録位置情報Ｓ３０１を出力する。
【００５２】
なお、ここでは、このように、ＳＹ０の記録位置を示す情報として、ＳＹ０が検出された時のリファレンスカウンタのカウント値を用いているが、必ずしもリファレンスカウンタのカウント値を用いなくてもよい。
【００５３】
例えば、アドレス再生タイミング信号Ｓ１０６の立ち上がりでカウントを開始するＩＥＤＯＫ基準カウンタを設け、アドレス正常取得情報Ｓ１０５とＳＹ０検出時におけるこのカウンタのカウント値とに基づいて、セクタにおけるＳＹ０の記録位置を示す値が算出され、算出した値が用いられるようにしてもよい。より詳しくは、アドレス正常取得情報Ｓ１０５は、ＰＩＤを示すアドレス情報を含むので、この情報に基づいてアドレス再生タイミング信号Ｓ１０６が立ち上がった時の再生位置を特定できる。一方、ＳＹ０検出時におけるＩＥＤＯＫ基準カウンタのカウント値は、図３の下部に示すように、アドレス再生タイミング信号Ｓ１０６が立ち上がった時の再生位置からＳＹ０の記録位置までのデータ長を示すものになる。したがって、アドレス再生タイミング信号Ｓ１０６が立ち上がった時の再生位置と、その再生位置からＳＹ０の記録位置までのデータ長とに基づいて、セクタにおけるＳＹ０の記録位置を示す値を算出できる。
【００５４】
同様に、ＡＭ検出信号Ｓ１０３の立ち上がりに応じてカウントを開始するＡＭ検出基準カウンタを用いてもよい。この場合、ＳＹ０検出時におけるＡＭ検出基準カウンタのカウント値は、図３の下部で示すように、ＡＭ検出信号Ｓ１０３が立ち上がった時の再生位置からＳＹ０の記録位置までのデータ長を示すものになる。したがって、ＡＭの記録位置、つまり、ＡＭ検出信号Ｓ１０３が立ち上がった時の再生位置を特定し、特定した再生位置と、その再生位置からＳＹ０の記録位置までのデータ長とに基づいて、セクタにおけるＳＹ０の記録位置を示す値を算出できる。なお、ＡＭの記録位置を特定する際、必要な場合には、上で説明したように、ＡＭの検出順序、間隔、および同期制御信号Ｓ１０８を参照してもよい。
【００５５】
また、ＩＥＤＯＫ基準カウンタとＡＭ検出基準カウンタの両方を設け、ＰＩＤが正しく読まれた場合、すなわち、アドレス再生タイミング信号Ｓ１０６が立ち上がった場合には、ＩＥＤＯＫ基準カウンタのカウント値が用いられ、ＰＩＤが正しく読まれなかった場合には、ＡＭ検出基準カウンタのカウント値が用いられるようにしてもよい。
【００５６】
（制御信号生成部１３の詳細な動作）
再生が開始された後に、再生対象のセクタが初めて再生される場合、同期制御信号Ｓ１０８があらかじめ定められたカウント値を示すタイミングで、制御信号生成部１３は、データ先頭予測信号Ｓ１０４をＨレベルにする。そして、この立ち上がりからＴ×２Ｗの期間経過後に、データ先頭予測信号Ｓ１０４をＬレベルにする。
【００５７】
一方、再生対象のセクタを２回目以降に再生する場合、制御信号生成部１３は、セクタ先頭位置情報保持部１７によって保持されたセクタ先頭記録位置情報Ｓ３０１のうち、再生対象のセクタに対応するセクタ先頭記録位置情報Ｓ３０２に基づいて、データ先頭予測信号Ｓ１０４を生成する。つまり、セクタ先頭記録位置情報Ｓ３０２に基づいて、ＳＹ０が存在するであろう予測範囲を特定する。具体的には、制御信号生成部１３は、再生対象のセクタのアドレス情報と対応付けて保持されているセクタ先頭記録位置情報Ｓ３０２で示されるカウント値に基づくタイミングで、データ先頭予測信号Ｓ１０４をＨレベルする。そして、この立ち上がりからＴ×２Ｗの期間経過後に、データ先頭予測信号Ｓ１０４をＬレベルにする。
【００５８】
なお、再生対象のセクタが繰り返し再生されるのは、前回、ＥＣＣを用いても正しい再生ができなかったと判定された場合である。
【００５９】
ここで、再生対象のセクタを２回目以降に再生する場合における制御信号生成部１３の動作を詳しく説明する。
【００６０】
まず、制御信号生成部１３は、セクタ先頭位置情報保持部１７によって出力されるセクタ先頭記録位置情報Ｓ３０２を取得する。セクタ先頭位置情報保持部１７は、保持する１６セクタ分のセクタ先頭記録位置情報Ｓ３０１のうち、再生対象のセクタに対応付けられたものを出力する。例えば、図７においては、３０１のヘッダ部アドレス（ヘッダ領域に記録されたＰＩＤ）を有するセクタが再生される前に、セクタ先頭記録位置情報Ｓ３０２として、アドレス３０１に対応するカウント値２０１が位置情報として取得されている。さらに同様に、３０２のヘッダ部アドレスを有するセクタが再生される前に、アドレス３０２に対応するカウント値１９９が取得され、３０３のヘッダ部アドレスを有するセクタが再生される前に、アドレス３０３に対応するカウント値２０２が取得されている。
【００６１】
そして、制御信号生成部１３は、同期制御信号Ｓ１０８によって示される値が、この取得したセクタ先頭記録位置情報Ｓ３０２によって示されるカウント値からデータ先頭予測範囲２Ｗの２分の１の値Ｗを引いた値に一致すると、データ先頭予測信号Ｓ１０４をＬレベルからＨレベルにする。例えば、図７においては、３０１のヘッダ部アドレスを有するセクタの再生時には、同期制御信号Ｓ１０８によって示される値が（２０１−Ｗ）に一致した時に、データ先頭予測信号Ｓ１０４がＬレベルからＨレベルに立ち上がる。さらに同様に、３０２のヘッダ部アドレスを有するセクタの再生時には、同期制御信号Ｓ１０８によって示される値が（１９９−Ｗ）に一致した時に、データ先頭予測信号Ｓ１０４が立ち上がり、３０３のヘッダ部アドレスを有するセクタの再生時には、同期制御信号Ｓ１０８によって示される値が（２０２−Ｗ）に一致した時に、データ先頭予測信号Ｓ１０４が立ち上がっている。
【００６２】
このように、前回の再生時に得られたセクタ先頭記録位置情報Ｓ３０２を使用することによって、セクタ毎に完結して記録されたデータを再生する上で最適なタイミングでＨレベルになるデータ先頭予測信号Ｓ１０４を生成できる。これにより、シンクの誤検出を防ぐことができ、安定したデータ再生を行えるようになる。
【００６３】
《実施形態２》
図２に示すようなセクタ構造の光ディスクは、特開平８−２８９２４９号公報や特開平１１−１７６０８１号公報に記載されているように、データ領域中のシンクを連続検出することによってデータ中の位置を特定できるデータ構造である。したがって、このようなデータ構造を利用し、データ領域中のシンクコードを連続して取得することにより、各シンクのセクタ中における位置を特定できる。つまり、シンクが連続して検出された場合、シンク検出信号Ｓ１０２とシンク情報Ｓ２０１に基づいて、検出された各シンクのデータ領域中における位置を特定できる。具体的には、各シンクのデータ領域中における位置を特定し、その特定した位置において同期制御信号Ｓ１０８が示す値から、データ領域の先頭を求めることができるため、同期制御信号Ｓ１０８がどのような値を示している時にＳＹ０が検出されるのかを特定できる。
【００６４】
実施形態２に係るデータ再生装置は、データ先頭予測信号Ｓ１０４がＨレベルの間にＳＹ０が検出されなかった場合におけるセクタ先頭フレーム検出部１６によるＳＹ０の記録位置の推測方法が、実施形態１に係るデータ再生装置と異なっているが、その他の構成については同様である。以下、本実施形態のセクタ先頭フレーム検出部１６による動作について説明する。
【００６５】
傷等によりＳＹ０が潰れた等の原因によりデータ先頭予測信号Ｓ１０４がＨレベルとなっている期間にＳＹ０が検出されなかった場合における、本実施形態のセクタ先頭フレーム検出部１６の動作について説明する。この場合であって、次にその範囲外でフレーム長の間隔で４回連続してシンクが検出された場合、セクタ先頭フレーム検出部１６は、この４つのシンクの種類、つまりシンク情報Ｓ２０１を参照することによって、連続して検出されたシンクのうちの４番目のシンクがセクタ中の何フレーム目のシンクなのかを判別する。そして、判別結果に基づいて、ＳＹ０の記録位置を推測する。なお、フレーム同期信号Ｓ２０２の補正は、実施形態１の図６で説明したのと同様の方法で行う。
【００６６】
例えば、図８に示すように、データ先頭予測信号Ｓ１０４が立ち下がった後（予測範囲の再生後）、ＳＹ５、ＳＹ１、ＳＹ５、およびＳＹ２がフレーム長の間隔で順に連続して検出された場合、セクタ先頭フレーム検出部１６は、４番目に検出されたシンクＳＹ２がセクタ中の何番目のフレームであるかを示す値Ｎを求める。値Ｎは、ＳＹ２が検出される前に、ＳＹ５、ＳＹ１、およびＳＹ５が順に検出されていることに基づいて確実に５であると求められる。ここで、４番目のシンクを検出した時に同期制御信号Ｓ１０８によって示されていた値をＣＮとすると、ＳＹ０は、同期制御信号Ｓ１０８がカウント値ＣＮＮ＝ＣＮ−ＦＬ×（Ｎ−１）を示すタイミングで検出されることが推測できる。したがって、セクタ先頭フレーム検出部１６は、カウント値ＣＮＮ、つまりカウント値ＣＮ−ＦＬ×（Ｎ−１）を示すセクタ先頭記録位置情報Ｓ３０１を出力する。
【００６７】
出力されたセクタ先頭記録位置情報Ｓ３０１は、セクタ先頭位置情報保持部１７によって保持され、この再生対象のセクタが再度再生される場合に参照される。
【００６８】
この再生対象のセクタが再度再生される場合、制御信号生成部１３は、データ先頭予測信号Ｓ１０４として、図８でパターン（１）として示すような信号を生成する。
【００６９】
このように、本実施形態においても、前回の再生時に得られたセクタ先頭記録位置情報Ｓ３０２を使用することによって、セクタ毎に完結して記録されたデータを再生する上で最適なタイミングでＨレベルになるデータ先頭予測信号Ｓ１０４を生成できる。これにより、シンクの誤検出を防ぐことができ、安定したデータ再生を行えるようになる。
【００７０】
なお、実施形態１および実施形態２において、２回目以降の再生時には、前回の再生時に得られたセクタ先頭記録位置情報Ｓ３０２を使用することによって、初回の再生時よりも精度の高いデータ先頭予測信号Ｓ１０４が生成される。したがって、２回目以降の再生時に、データ先頭予測信号Ｓ１０４の幅、つまり、データ先頭予測信号Ｓ１０４の立ち上がりから立ち下がりまでの期間が、初回の再生時よりも短くなるようにしてもよい。例えば、実施形態１において、２回目以降の再生時に生成されるデータ先頭予測信号Ｓ１０４が、図６でパターン（２）に示されるような信号になるようにしてもよい。同様に、実施形態２において、２回目以降の再生時に生成されるデータ先頭予測信号Ｓ１０４が、図８でパターン（２）に示されるような信号になるようにしてもよい。つまり、初回の再生時には、データ先頭予測信号Ｓ１０４の立ち上がりから立ち下がりまでの期間が、Ｔ×２Ｗの期間であったのに対し、２回目以降の再生時には、その期間より短いＴ×２ＷＷの期間となるようにしてもよい。
【００７１】
《その他の実施形態》
なお、ＰＩＤが正しく読まれた場合、正しく読まれなかった場合よりも、リファレンスカウンタは、そのカウント値によって、データの位置をより精度良く示せる。よって、セクタ先頭フレーム検出部１６は、より精度良くＳＹ０の記録位置を特定できる。したがって、１回目の再生時にＰＩＤが正しく読まれた場合には、正しく読まれなかった場合よりも、２回目以降の再生時に、データ先頭予測信号Ｓ１０４の幅、つまり、データ先頭予測信号Ｓ１０４の立ち上がりから立ち下がりまでの期間が短くなるようにしてもよい。
【００７２】
また、ＰＩＤが正しく読まれなかった場合であっても、ＡＭの検出回数が多ければ、少ない場合よりも、セクタ先頭フレーム検出部１６は、ＳＹ０の記録位置をより精度良く特定できる。例えば、１セクタに存在する４つのＡＭのうち、４つのＡＭを検出できた場合、１つのＡＭしか検出できなかった場合よりも、セクタ先頭フレーム検出部１６は、ＳＹ０の記録位置をより精度良く特定できる。したがって、１回目の再生時のＡＭの検出回数が多ければ多いほど、２回目以降の再生時におけるデータ先頭予測信号Ｓ１０４の幅、つまり、データ先頭予測信号Ｓ１０４の立ち上がりから立ち下がりまでの期間が短くなるようにしてもよい。
【００７３】
また、実施形態１、２に係るデータ再生装置において、セクタ先頭位置情報保持部１７は、セクタ先頭記録位置情報Ｓ３０１を、再生番号およびアドレス情報の両方と対応付けて保持するようになっていた。しかし、再生番号およびアドレス情報のいずれか一方と対応付けて保持するようにしてもよい。
【００７４】
また、実施形態１、２に係るデータ再生装置は、ＳＹ０を従来よりも精度良く検出するものであったが、ＳＹ０の代わりに、プリシンク等の他の同期コードを精度良く検出するために、本発明を適用してもよい。
【００７５】
また、実施形態１、２に係るデータ再生装置は、ＥＣＣを用いたエラーチェックによって正しい再生が行われなかったと判定された場合に、再度再生を行うようになっていた。しかし、判定は、ＥＣＣを用いたエラーチェックに限らず、その他の判定によって正しい再生が行われなかったと判定された場合に、再度再生が行われるようにしてもよい。例えば、データ先頭予測信号Ｓ１０４がＨレベルの間に同期コードが検出されたか否かによって、再度再生を行うかどうかが判定されるようにしてもよい。
【産業上の利用可能性】
【００７６】
本発明に係るデータ再生方法およびデータ再生装置は、同期コードを精度良く検出することが容易になるという効果を有し、例えば、光ディスクを再生する際に行われる同期コードの検出の精度を高める技術等として有用である。
【図面の簡単な説明】
【００７７】
【図１】本発明の実施形態１に係るデータ再生装置の構成を示すブロック図である。
【図２】同、セクタ毎にデータが完結して記録された光ディスクのセクタ構造の例を示す説明図である。
【図３】同、ヘッダ領域に含まれるアドレスが再生され、ＳＹ０が検出されるまでのアドレス再生部１２、制御信号生成部１３、セクタ同期部１４、フレーム同期部１５およびセクタ先頭フレーム検出部１６の動作を説明するタイミングチャートである。
【図４】同、フレーム同期部１５がセクタの先頭からフレーム同期を行う動作を示すタイミングチャートである。
【図５】同、セクタ先頭フレーム検出部１６がＳＹ０の記録位置を特定する動作を示すタイミングチャートである。
【図６】同、セクタ先頭フレーム検出部１６がＳＹ０の記録位置を特定する動作を示すタイミングチャートである。
【図７】同、制御信号生成部１３がセクタ先頭位置情報保持部１７によって出力されたセクタ先頭記録位置情報Ｓ３０２を使用してデータ先頭予測信号Ｓ１０４を生成する動作を説明する説明図である。
【図８】本発明の実施形態２に係るデータ再生装置のセクタ先頭フレーム検出部１６がＳＹ０の記録位置を特定する動作を示すタイミングチャートである。
【符号の説明】
【００７８】
１１      データ取得部
１２      アドレス再生部
１３      制御信号生成部（同期制御部）
１４      セクタ同期部（同期部）
１５      フレーム同期部
１６      セクタ先頭フレーム検出部（同期コード位置情報取得部）
１７      セクタ先頭位置情報保持部（同期コード位置情報保持部）
【図１】
2008269682.tif 000003
【図２】
2008269682.tif 000004
【図３】
2008269682.tif 000005
【図４】
2008269682.tif 000006
【図５】
2008269682.tif 000007
【図６】
2008269682.tif 000008
【図７】
2008269682.tif 000009
【図８】
2008269682.tif 000010